(57)【特許請求の範囲】
【請求項１】
ＩＣチップおよびアンテナを有する非接触型ＩＣカードを複数枚連続した状態の帯状の非接触型ＩＣカード連続体に情報を書き込むための非接触型ＩＣカード用情報書込み装置であって、
前記非接触型ＩＣカードの表面に第１の情報を印刷する印刷機構を有するプリンター部と、
前記ＩＣチップに第２の情報を書き込む書込み機構を有する書込み部と、
前記印刷機構および前記書込み機構の間に設けられ、前記非接触型ＩＣカード連続体を切断して単一の非接触型ＩＣカードとする切断機構と、
前記印刷機構により印刷した前記非接触型ＩＣカードを前記書込み機構に転送する転送機構と、
前記書込み部および前記プリンター部を制御する制御部と、を有し、
前記印刷機構に前記第１の情報を供給して非接触型ＩＣカード連続体に印刷し、さらに、前記切断機構にて切断して単一の非接触型ＩＣカードを作成するとともに、この切断された非接触型ＩＣカードを前記転送機構により書込み機構に転送し、かつ、前記非接触型ＩＣカードの認識データを読み取って前記書込み機構に前記第２の情報を供給し書込み機構を介して非接触型ＩＣカードに第２の情報を書込むことを特徴とする非接触型ＩＣカード用情報書込み装置。
【請求項２】
前記印刷機構による印刷および前記書込み機構による書込みを行った前記非接触型ＩＣカードを排出する排出機構を設けたことを特徴とする請求項１記載の非接触型ＩＣカード用情報書込み装置。
【請求項３】
前記制御部は、前記プリンター部に印字情報供給線を接続するとともに、前記書込み部に書込み情報供給線を接続することを特徴とする請求項１記載の非接触型ＩＣカード用情報書込み装置。
【発明の詳細な説明】
【０００１】
【発明の属する技術分野】
本発明は非接触型ＩＣカード用情報書込み装置にかかるもので、とくに非接触型ＩＣ（集積回路）カードに印刷および書込みを行うための非接触型ＩＣカード用情報書込み装置に関するものである。
【０００２】
【従来の技術】
従来の磁気カードによる各種情報の記録は、完全な偽造防止が困難であること、読取り書込み装置（リーダーライター）との間で接触操作が必要な接触型であるため、装置のメンテナンス頻度が高いこと、などの諸問題があり、この磁気カードに代わって、フィルムに半導体チップ部分を印刷し、読み取りおよび書き込み可能とした非接触型ＩＣカードが開発されている。
こうした非接触型ＩＣカードは、偽造あるいは変造を防止しやすく、テレホンカード、認識カードや入場カード、伝票カードその他各種の分野における情報の媒体として期待されている。
【０００３】
【発明が解決しようとする課題】
本発明は以上のような諸問題にかんがみなされたもので、人間が視覚認識可能な情報、および電磁的に読み取り書き込み可能な情報をともに表示ないし書き込むことができる非接触型ＩＣカード用情報書込み装置を提供することを課題とする。
【０００４】
また本発明は、任意の要請に応じて第１の情報を表示（印刷）するとともに、第２の情報を書き込むことができる非接触型ＩＣカード用情報書込み装置を提供することを課題とする。
【０００５】
また本発明は、プリンター部および書込み部を一体として制御可能な非接触型ＩＣカード用情報書込み装置を提供することを課題とする。
【０００６】
【課題を解決するための手段】
すなわち本発明は、表面に印刷を行うプリンター部とＩＣチップに電磁的な書込みを行う書込み部とを組み合わせることに着目したもので、ＩＣチップおよびアンテナを有する非接触型ＩＣカードを複数枚連続した状態の帯状の非接型ＩＣカード連続体に情報を書き込むための非接触型ＩＣカード用情報書込み装置であって、前記非接触型ＩＣカードの表面に第１の情報を印刷する印刷機構を有するプリンター部と、前記ＩＣチップに第２の情報を書き込む書込み機構を有する書込み部と、前記印刷機構および前記書込み機構の間に設けられ、前記非接触型ＩＣカード連続体を切断して単一の非接触型ＩＣカードとする切断機構と、前記印刷機構により印刷した前記非接触型ＩＣカードを前記書込み機構に転送する転送機構と、前記書込み部および前記プリンター部を制御する制御部と、を有し、前記印刷機構に前記第１の情報を供給して非接触型ＩＣカード連続体に印刷し、さらに、前記切断機構にて切断して単一の非接触型ＩＣカードを作成するとともに、この切断された非接触型ＩＣカードを前記転送機構により書込み機構に転送し、かつ、前記非接触型ＩＣカードの認識データを読み取って前記書込み機構に前記第２の情報を供給し書込み機構を介して非接触型ＩＣカードに第２の情報を書込むことを特徴とする非接触型ＩＣカード用情報書込み装置である。
【００１１】
上記印刷機構による印刷および上記書込み機構による書込みを行った上記非接触型ＩＣカードを排出する排出機構を設けることができる。
上記制御部は、上記プリンター部に印字情報供給線を接続するとともに、上記書込み部に書込み情報供給線を接続するようにできる。
【００１２】
上記第１の情報は、たとえば人間が視覚認識することができる印刷情報であり、上記第２の情報は、たとえば電磁気的に読み取り書き込み可能な書き込み情報である。
【００１３】
本発明による非接触型ＩＣカード用情報書込み装置においては、プリンター部と書込み部とを組み合わせるようにしたので、たとえば人間が視覚認識可能な第１の情報を印刷し、たとえば電磁的に読み取り可能な第２の情報を非接触型ＩＣカードに記録させて、各種の分野におけるニーズに応えることができる。
【００１４】
【発明の実施の形態】
つぎに本発明の第１の実施の形態による非接触型ＩＣカード用情報書込み装置を非接触型ＩＣカードとともに図１ないし図３にもとづき説明する。
図１は、非接触型ＩＣカード連続体１の平面図であって、非接触型ＩＣカード連続体１は、単一の非接触型ＩＣカード１Ａを複数枚連続して帯状部材としたものである。
図２は、非接触型ＩＣカード１Ａの断面分解図であって、非接触型ＩＣカード１Ａは、フィルム基材２上のＩＣチップ３およびアンテナ部４（図１）と、表面側厚紙５および裏面側厚紙６と、を有する。
【００１５】
非接触型ＩＣカード連続体１は、所定の切断線７部分で切断することにより、単一の非接触型ＩＣカード１Ａとすることができ、それぞれの非接触型ＩＣカード１Ａの表面側厚紙５には各種表示用の任意の情報（第１の情報）を印刷可能で、裏面側厚紙６には、非接触型ＩＣカード連続体１を移送する際の検出用マーク８をあらかじめ印刷してある。なお表面側厚紙５としては、印刷の方式に応じて、これをサーマル発色紙とするか、一般の上質紙とするかを選択可能である。
【００１６】
ＩＣチップ３は、アンテナ部４の同調作用および電磁誘導作用により所定のフォーマットにもとづいた情報（第２の情報）を書き込み可能である。すなわち、電磁誘導作用によってアンテナ部４に励起された起電力を利用してＩＣチップ３に電気を供給する、既知の方法により情報の書き込みを行う。
なお、ＩＣチップ３には、ＩＤコードあるいは電磁誘導方式に固有の製造番号などのカード認識データをあらかじめ記憶させてあり、個々の非接触型ＩＣカード１Ａを認識可能としてある。
また、ＩＣチップ３に書き込む第２の情報としては、そのニーズに応じて、表面側厚紙５に印刷した第１の情報に対応ないしこれを補充するデータ、履歴データ、ポイントカード用の点数データ、および第１の情報だけでは判別不可能なセキュリティーデータなどがある。ＩＣチップとしては、任意のデバイスを使用可能であるが、電気的消去可能なＲＯＭ（ＥＥＲＯＭ）を採用することにより情報の書き換え可能となる。
【００１７】
図３は、本発明の第１の実施の形態による非接触型ＩＣカード用情報書込み装置１０の概略説明図であって、非接触型ＩＣカード用情報書込み装置１０は、プリンター部１１と、書込み部１２と、制御部１３と、を有する。
【００１８】
プリンター部１１は、プリンター部ハウジング１４と、非接触型ＩＣカード連続体供給機構１５と、移送機構１６と、印刷機構１７と、切断機構１８と、を有する。
【００１９】
非接触型ＩＣカード供給機構１５は、非接触型ＩＣカード連続体１をロール状として移送機構１６および印刷機構１７に供給する。
移送機構１６は、マーク検出センサー１９と、サーマルヘッド２０およびプラテンローラー２１と、を有する。
印刷機構１７は、移送機構１６と兼用のサーマルヘッド２０およびプラテンローラー２１を有し、非接触型ＩＣカード１Ａの表面に第１の情報を印刷する。この印字方式としては、感熱転写式や感熱発色式、あるいはサーマルヘッド２０およびプラテンローラー２１を用いずにインクジェット式など任意のものを採用可能である。なお、サーマルヘッド２０としては、図示のようなコーナーエッジヘッドあるいはニアエッジヘッドを採用し、書き込み時におけるＩＣチップ３やアンテナ部４への負担を軽減することができる。
切断機構１８は、非接触型ＩＣカード連続体１を切断線７の部分で切断することにより、単片の非接触型ＩＣカード１Ａを作成する。
【００２０】
書込み部１２は、書込み部ハウジング２２と、転送機構２３と、書込み機構２４と、排出機構２５と、を有する。
【００２１】
書込み部ハウジング２２は、プリンター部ハウジング１４の下流側にこれを取り付け、プリンター部１１部分から電源線２６を介して電源の供給を受ける。もちろん、単独で電源供給も可能である。
転送機構２３は、切断機構１８から下流側に下方に傾斜したスロープ２７を有する。
書込み機構２４は、カードホルダー部２８と、カードホルダー部２８に設けたリーダーライター２９と、を有する。カードホルダー部２８に載置状態の非接触型ＩＣカード１ＡのＩＣチップ３にリーダーライター２９が第２の情報を書き込む。
排出機構２５は、モーター３０によりエンドレスベルト３１を回転駆動して非接触型ＩＣカード１Ａをトレー３２に排出する。なお、上記カードホルダー部２８は、停止状態のエンドレスベルト３１によりこれを構成しているが、他の構成を採用することもできる。
【００２２】
制御部１３は、上述のプリンター部１１および書込み部１２を制御するもので、プリンター部１１に印字情報供給線３３を接続するとともに、書込み部１２に書込み情報供給線３４を接続してある。制御部１３としては、任意のパソコンによる外付けタイプであっても、プリンター部１１もしくは書込み部１２のいずれかへの内蔵タイプであってもよい。
【００２３】
こうした構成の非接触型ＩＣカード用情報書込み装置１０において、非接触型ＩＣカード供給機構１５からロール状の非接触型ＩＣカード連続体１を帯状として移送機構１６により印刷機構１７に供給し、非接触型ＩＣカード１Ａの表面側厚紙５に第１の情報、非接触型ＩＣカード１Ａがたとえば認識カードであれば、所有者の氏名あるいは番号、その他、を印刷する。
【００２４】
切断機構１８において、切断線７の部分で切断して単一の非接触型ＩＣカード１Ａとする。
切断された非接触型ＩＣカード１Ａは、転送機構２３のスロープ２７を滑走して、書込み機構２４のカードホルダー部２８に載置される。カードホルダー部２８において停止状態の非接触型ＩＣカード１Ａからフォーマットおよびロット番号などをリーダーライター２９が読み取り、制御部１３の制御のもとで第２の情報、たとえば所有者のＩＤ番号その他を書き込む。
【００２５】
書き込みを終了した非接触型ＩＣカード１Ａは、排出機構２５のエンドレスベルト３１を回転駆動してトレー３２にこれを排出する。
【００２６】
かくして、視覚認識可能な第１の情報および電磁的に読み取り可能な第２の情報を連続的に書き込み、それぞれの必要データを表示ないし記録した特定の非接触型ＩＣカード１Ａを作成することができる。
【００２７】
図４は、本発明の第２の実施の形態による非接触型ＩＣカード用情報書込み装置４０の概略説明図であって、非接触型ＩＣカード用情報書込み装置４０は、第１の実施の形態による非接触型ＩＣカード用情報書込み装置１０（図３）における転送機構２３を省略し、切断機構１８に隣接してその下流側に、書込み機構２４のリーダーライター２９を配置するとともに、書込み機構２４の下流側に排出機構４１を設けてある。
【００２８】
排出機構４１は、前記スロープ２７に相当するスロープ４２と、前記トレー３２に相当するトレー４３と、を有する。トレー４３は、スロープ４２に連続してその下流側にこれを配置してある。
【００２９】
こうした構成の非接触型ＩＣカード用情報書込み装置４０において、印刷機構１７での第１の情報の印刷ののち、書込み機構２４のリーダーライター２９部分にまで非接触型ＩＣカード連続体１を突出するように保持し、リーダーライター２９における第２の情報の書き込みを行ったのち、切断機構１８により非接触型ＩＣカード連続体１を切断して単一の非接触型ＩＣカード１Ａとする。
切断された非接触型ＩＣカード１Ａはスロープ４２を滑走してトレー４３に排出される。
したがって、図３の非接触型ＩＣカード用情報書込み装置１０におけるモーター３０およびエンドレスベルト３１などが不要で、より効率的に非接触型ＩＣカード１Ａの作成が可能ある。
【００３０】
なお本発明においては、図４の非接触型ＩＣカード用情報書込み装置４０のように、切断機構１８のすぐ下流側に書込み機構２４を設け、非接触型ＩＣカード連続体１の表面側厚紙５の上側から第２の情報を書き込むようにすることも可能であるが、プリンター部１１の構成に応じて、書込み機構２４および非接触型ＩＣカード連続体１を側面に立てて（鉛直方向に立てて）、その供給、印刷、および書込み操作を行うようにしてもよい。
【００３１】
【発明の効果】
以上のように本発明によれば、制御部によりプリンター部および書込み部を制御して非接触型ＩＣカードにそれぞれ必要な情報を表示および書き込むようにしたので、任意の需要に応えた非接触型ＩＣカードを効率よく作成することができる。
【図面の簡単な説明】
【図１】本発明の非接触型ＩＣカード連続体１の平面図である。
【図２】同、非接触型ＩＣカード１Ａの断面分解図である。
【図３】本発明の第１の実施の形態による非接触型ＩＣカード用情報書込み装置１０の概略説明図である。
【図４】本発明の第２の実施の形態による非接触型ＩＣカード用情報書込み装置４０の概略説明図である。
【符号の説明】
１  非接触型ＩＣカード連続体（図１）
１Ａ  非接触型ＩＣカード連続体１から切断した単一の非接触型ＩＣカード
２  フィルム基材
３ＩＣチップ
４  アンテナ部
５  表面側厚紙
６  裏面側厚紙
７  切断線
８  検出用マーク
１０  非接触型ＩＣカード用情報書込み装置（第１の実施の形態、図３）
１１  プリンター部
１２  書込み部
１３  制御部
１４  プリンター部ハウジング
１５  非接触型ＩＣカード供給機構
１６  移送機構
１７  印刷機構
１８  切断機構
１９  マーク検出センサー
２０  サーマルヘッド
２１  プラテンローラー
２２  書込み部ハウジング
２３  転送機構
２４  書込み機構
２５  排出機構
２６  電源線
２７  スロープ
２８  カードホルダー部
２９  リーダーライター
３０  モーター
３１  エンドレスベルト
３２  トレー
３３  印字情報供給線
３４  書込み情報供給線
４０  非接触型ＩＣカード用情報書込み装置（第２の実施の形態、図４）
４１  排出機構
４２  スロープ
４３  トレー
【図１】
0004053137.tif 000002
【図２】
0004053137.tif 000003
【図３】
0004053137.tif 000004
【図４】
0004053137.tif 000005